(57)【特許請求の範囲】
【請求項１】
先端に開口部を有する筒体の側周面の一部を切り取ることで排出口が空けられた本体と、
前記本体の先端に前記開口部を狭めるようにテーパ状に形成した先端刃と、
前記本体の内周に沿って前記開口部から前記排出口まで螺旋状に突出する複数の螺旋条と、を有し、
前記本体が地面に突き刺されたときに、前記開口部から前記本体の内部に導入された芝を前記螺旋条に沿って捩じらせることで当該芝の根元を前記先端刃で切断する、
ことを特徴とするタイン。
【請求項２】
前記螺旋条は、前記先端刃に凹凸を形成しないように、先端において前記先端刃に向かって傾斜する、
ことを特徴とする請求項１に記載のタイン。
【請求項３】
前記螺旋条は、隣接する螺旋条との間隔以下で長手方向から傾斜させた直線を環状に巻いた形状である、
ことを特徴とする請求項１又は２に記載のタイン。
【請求項４】
前記螺旋条は、長手方向から１０〜３０度傾けられる、
ことを特徴とする請求項１乃至３の何れか一に記載のタイン。
【請求項５】
請求項１乃至４の何れか一に記載のタインを取り付けた、
ことを特徴とするエアレーション装置。
【発明の詳細な説明】
【技術分野】
【０００１】
本発明は、芝生をエアレーションするためのタインに関する。
【背景技術】
【０００２】
ゴルフ場など芝を植えた敷地においては、芝生の管理として、定期的にエアレーションなどを行う必要がある。エアレーションは、芝生に穴を空け、地中の根に空気を供給することにより、芝生を活性化させる。特許文献１に記載されているように、芝生の再生に好適な確実な形状で芝生を裁断するタインの発明も公開されている。
【先行技術文献】
【特許文献】
【０００３】
【特許文献１】特許第４５５５１９４号公報
【発明の概要】
【発明が解決しようとする課題】
【０００４】
しかしながら、特許文献１に記載の発明では、タインを地面に垂直に突き刺し、内部の土壌を側面開口部から排出するが、タインの先端部で古い根を切ることができなかった場合に、十分に穴を空けられない可能性がある。
【０００５】
そこで、本発明は、芝の古い根を確実に切断し、効率的に芝生のエアレーションを行うためのタインを提供することを目的とする。
【課題を解決するための手段】
【０００６】
上記の課題を解決するために、本発明であるタインは、先端に開口部を有する筒体の側周面の一部を切り取ることで排出口が空けられた本体と、前記本体の先端に前記開口部を狭めるようにテーパ状に形成した先端刃と、前記本体の内周に沿って前記開口部から前記排出口まで螺旋状に突出する複数の螺旋条と、を有し、前記本体が地面に突き刺されたときに、前記開口部から前記本体の内部に導入された芝を前記螺旋条に沿って捩じらせることで当該芝の根元を前記先端刃で切断する、ことを特徴とする。
【０００７】
また、前記螺旋条は、前記先端刃に凹凸を形成しないように、先端において前記先端刃に向かって傾斜する、ことを特徴とする。
【０００８】
また、前記螺旋条は、隣接する螺旋条との間隔以下で長手方向から傾斜させた直線を環状に巻いた形状である、ことを特徴とする。
【０００９】
また、前記螺旋条は、長手方向から１０〜３０度傾けられる、ことを特徴とする。
【００１０】
さらに、本発明であるエアレーション装置は、前記タインを取り付けた、ことを特徴とする。
【発明の効果】
【００１１】
本発明によれば、芝の古い根を確実に切断し、効率的に芝生のエアレーションを行うことができる。
【図面の簡単な説明】
【００１２】
【図１】本発明であるタインの斜視図である。
【図２】本発明であるタインの平面図である。
【図３】本発明であるタインの側面図である。
【図４】本発明であるタインの使用状態を示す図である。
【図５】本発明であるタインを横方向に切断した断面図である。
【図６】本発明であるタインの先端の拡大図である。
【図７】本発明であるタインの内部の展開図である。
【発明を実施するための形態】
【００１３】
以下に、本発明の実施形態について図面を参照して詳細に説明する。なお、同一機能を有するものは同一符号を付け、その繰り返しの説明は省略する場合がある。
【実施例１】
【００１４】
まず、本発明であるタインの構造について説明する。図１は、タインの斜視図であり、図２は、タインの平面図であり、図３は、タインの側面図である。
【００１５】
図１〜３に示すように、タイン１００は、芝生のエアレーション時に地面に突き刺して穴を空けるための金属製の道具であり、本体となる筒体２００と、筒体２００の先端側に形成したテーパ部３００と、筒体２００の後端側に形成した取付部２２０等を有する。例えば、炭素工具鋼や合金工具鋼などを加工して熱処理することにより製造すれば良い。
【００１６】
筒体２００は、図１に示すように、先端が開いて後端が閉じた内部が中空の細長い円筒状であり、側周面の一部を切り取ることで排出口２１０が空けられる。筒体２００の内周面には複数の螺旋条４００が形成される。
【００１７】
テーパ部３００は、図２に示すように、タイン１００を地面に突き刺しやすくするために、筒体２００の先端側を円錐台状に先細らせた部分である。テーパ部３００の端面は、円形の縁の内部が空いた開口部３２０となる。
【００１８】
取付部２２０は、タイン１００をエアレーション装置に取り付ける部分である。エアレーション装置は、多数のタイン１００を取り付けて一斉に穴を空ける大型の機械でも良いし、手動で穴を空ける小型の道具でも良い。
【００１９】
螺旋条４００は、筒体２００の内周面を加工することにより、開口部３２０から排出口２１０まで線状の突出部を螺旋状に形成したものである。螺旋条４００は、所定の間隔で複数設ければ良い。
【００２０】
開口部３２０は、タイン１００の先端を地面に突き刺したときに、筒体２００の内部に土壌を導入するための入口である。開口部３２０は、筒体２００からテーパ部３００にかけて径が狭められ、その先端が鋭利な先端刃３１０となる。
【００２１】
先端刃３１０は、タイン１００を地面に突き刺したときに、開口部３２０の縁で芝の根などを切断するための円形の刃である。タイン１００は上から下に垂直に突き刺さるので、螺旋条４００により回転力を付けて、先端刃３１０で引き切りさせる。
【００２２】
排出口２１０は、タイン１００を地面に突き刺したときに、筒体２００の内部に導入された土壌を地面の上に排出するための出口である。排出口２１０は、図３に示すように、タイン１００を横にしたときに、筒体２００の上部から中部にかけて、上半分を切り取るように形成する。
【００２３】
次に、タインの使用について説明する。図４は、タインの使用状態を示す図であり、図５は、タインを図２におけるＡ−Ａで横方向に切断した断面図である。
【００２４】
図４に示すように、タイン１００をエアレーション装置５００に取り付け、エアレーション装置５００を芝５２０の生えた地面５１０に対して使用する。エアレーション装置５００は、タイン１００を垂直に下降させ、テーパ部３００から地面５１０に突き刺す。
【００２５】
先端刃３１０で土壌に穴を空けながら、開口部３２０から筒体２００の内部に芝５２０を含む土壌が導入される。土壌及び芝５２０は、螺旋条４００に沿って捩じられながら筒体２００の内部を上昇する。土壌等は筒体２００の内部を通って排出されるので、穴の先が押し固められない。
【００２６】
図５に示すように、突き刺したタイン１００の先端において、先端刃３１０に当接している芝５２０の根５３０が先端刃３１０に沿って回転する。縦に押す力に加えて、横に引く力を与えることで、根５３０が先端刃３１０によって切断される。
【００２７】
縦に押す力だけでは切断されなかった根５３０についても、横に引く力により切断が可能になり、タイン１００を地面５１０に突き刺しやすくなる。芝５２０及び根５３０を含む土壌が排出口２１０から排出され、確実に穴が空けられる。
【実施例２】
【００２８】
次に、より効果的にエアレーションするためのタインの構造について説明する。図６は、タインの先端の拡大図であり、図７は、タインの内部の展開図である。
【００２９】
図６に示すように、先端刃３１０で芝の根を切断しやすくするために、筒体２００の内周面で突出する螺旋条４００の先端を、先端刃３１０に向かって傾斜させて螺旋条４００を薄くすることにより、先端刃３１０の位置において凹凸が生じないようにする。
【００３０】
螺旋条４００は、筒体２００の内周面に沿って複数（例えば６本）が等間隔に設けられる。内部に導入される土壌等が通過するのに抵抗が少なくなるように、螺旋条４００は線状の突起とする。また、土壌等が螺旋状に回転するのを補助するガイドとして必要な高さ及び幅とする。なお、螺旋条４００は断面が矩形状であるが、角を丸める等して筒体２００の内周面と滑らかに繋げて土壌等に対する抵抗を少なくし、螺旋条４００が摩耗等により劣化しないようにしても良い。
【００３１】
図７に示すように、縦にした筒体２００を展開して平面状に表すと、螺旋条４００は、傾斜させた直線が複数並んだ状態となる。螺旋条４００が垂直に近くなるほど、内部を通過する速度が上がり、水平に近くなるほど内部で回転しやすくなる。そのため、螺旋条４００の角度は０度より大きく９０度より小さければ良い。
【００３２】
螺旋条４００は、垂直方向（長手方向）から下端（先端）を水平距離４１０だけずらして傾斜させる。なお、一の螺旋条４００と隣接する別の螺旋条４０１との間隔を最大距離４２０として、それ以下で長手方向から傾斜させれば良い。なお、筒体２００が縦長であることから、螺旋条４００が長手方向から４５度より小さい角度となることが好ましく、さらに１０〜３０度傾けた角度となることがより好ましい。
【００３３】
例えば、筒体２００の長さを約１０ｃｍ、内径を８ｍｍ、外形を１２ｍｍとしたとき、螺旋条４００を垂直方向から約２０度傾けた角度にすると、内部の土壌等が排出口２１０の高さに到達するまでにほぼ一回転する。なお、螺旋条４００が６本の場合、各螺旋条４００ｇが土壌等を先端刃３１０に沿って６０度回転させれば、隣接する螺旋条４０１の位置まで来るので、先端刃３１０による根切り効果が一周に渡って継続する。
【００３４】
このように、タイン１００を使用することにより、芝の古い根を確実に切断し、効率的に芝生のエアレーションを行うことができる。芝生に穴を空けることより、地中に空気が供給され、芝生を活性化させることができる。また、古い芝の根を切ることで芝の生育を促すことができる。さらに、土壌がほぐれるので水はけも良くなり、芝生の病気も予防することができる。
【００３５】
多数のタインを配列させてエアレーションを行う場合、棒体の外周を螺旋状に突出させたタインを使用すると、各棒体を回転させる機構が必要な上、棒体の周りの土壌等を掻き出すため隣接するタインとの間隔を確保する必要があるばかりか、穴の先の土壌等を棒体で押し固めてしまうが、本発明のタイン１００を使用すれば、土壌等が筒体２００の内部を効率良く通過するので、隣接するタイン１００との間隔を狭くすることが可能な上に、穴の先が押し固められることもない。エアレーション作業が効率化することで、芝生のサッチ層が必要以上の厚さにならないよう維持することができる。
【００３６】
以上、本発明の実施例を述べたが、これらに限定されるものではない。本発明では、筒体の内周面に複数の螺旋条を突出させているが、筒体内の土壌等を回転させれば良いので、螺旋溝にしても良い。また、本発明における螺旋条の断面は矩形状であるが、三角形状など他の形状でも良い。さらに、本発明における螺旋状は、展開したときに直線状であるが、曲線状など他の形状にしても良い。
【符号の説明】
【００３７】
１００：タイン
２００：筒体
２１０：排出口
２２０：取付部
３００：テーパ部
３１０：先端刃
３２０：開口部
４００：螺旋条
４０１：螺旋条
４１０：水平距離
４２０：最大距離
５００：エアレーション装置
５１０：地面
５２０：芝
５３０：根
【要約】
【課題】芝の古い根を確実に切断し、効率的に芝生のエアレーションを行うためのタインを提供する。
【解決手段】先端に開口部を有する筒体の側周面の一部を切り取ることで排出口が空けられた本体と、前記本体の先端に前記開口部を狭めるようにテーパ状に形成した先端刃と、前記本体の内周に沿って前記開口部から前記排出口まで螺旋状に突出する複数の螺旋条と、を有し、前記本体が地面に突き刺されたときに、前記開口部から前記本体の内部に導入された芝を前記螺旋条に沿って捩じらせることで当該芝の根元を前記先端刃で切断する。
【選択図】図１【図１】
0006054573.tif 000002
【図２】
0006054573.tif 000003
【図３】
0006054573.tif 000004
【図４】
0006054573.tif 000005
【図５】
0006054573.tif 000006
【図６】
0006054573.tif 000007
【図７】
0006054573.tif 000008